(57)【要約】【課題】浄化カートリッジにおける残留空気による浄水処理の効率低下を防ぎ、常に良好な浄水を可能にする。【解決手段】コップ形状部５内部において空気Ｃが残留しても、浄水出口１０は空気圧Ｐｃの影響を受けない。このため浄水出口１０からの浄水は、自重でパイプ１５に案内されて吸着剤収納室部１１の浄水出口１０からコップ形状部５の側部開口５ｂへと円滑に移動することができる。このため浄水は、側部開口５ｂからコップ形状部５外部の浄水貯留室部３へと支障なく流れ出る。【選択図】図４
2012200724.tif 000002
【特許請求の範囲】
【請求項１】
原水貯留室部と浄水貯留室部とが上下に分離して形成された本体ケースと、
前記原水貯留室部と前記浄水貯留室部とを区画する隔壁と、
前記隔壁を通って前記浄水貯留室部に連通して前記本体ケースに開口する水出口と、
前記原水貯留室部の前記本体ケースに開口する原水注ぎ口と、
前記隔壁の前記浄水貯留室部側に突出して形成され、少なくとも上部と側部あるいは下部とに開口が形成されたコップ形状部と、
前記コップ形状部の上部の開口から挿入される浄化カートリッジとを備え、
前記原水貯留室部の原水が自重により前記浄化カートリッジ内の吸着剤を通って前記浄水貯留室部へ移動することにより、原水浄化がなされる構造の浄水器において、
前記浄化カートリッジの浄水出口に、前記コップ形状部の前記側部あるいは前記下部の開口まで延出するパイプを垂下させたことを特徴とする浄水器。
【請求項２】
原水貯留室部と浄水貯留室部とが上下に分離して形成された本体ケースと、前記原水貯留室部と前記浄水貯留室部とを区画する隔壁と、前記隔壁を通って前記浄水貯留室部に連通して前記本体ケースに開口する水出口と、前記原水貯留室部の前記本体ケースに開口する原水注ぎ口とを具備した浄水器に設けられる浄化カートリッジであって、
前記隔壁に装着されて、前記原水貯留室部の原水が自重により内部の吸着剤を通って前記浄水貯留室部へ移動することにより原水浄化をなす浄化カートリッジにおいて、
前記隔壁の前記浄水貯留室部側に突出して前記隔壁に装着され、少なくとも上部と側部あるいは下部とに開口が形成されたカートリッジケース本体と、
前記吸着剤の下側部に設けられた浄水出口から垂下して、前記カートリッジケース本体の前記側部あるいは前記下部の開口まで延出するパイプと、
を具備したことを特徴とする浄化カートリッジ。
【発明の詳細な説明】
【技術分野】
【０００１】  本発明は、本体ケース内が原水貯留室部と浄水貯留室部とに区画され、両貯留室部間に浄化カートリッジが設けられる構成の浄水器、及び該浄水器に設けられる浄化カートリッジに関するものである。
【背景技術】
【０００２】  本体ケース内が原水貯留室部と浄水貯留室部とに区画され、原水貯留室部と浄水貯留室部間に設けられた浄化カートリッジに原水を通すことにより、原水を浄化することができるようにした筒型の家庭用の浄水器が市販されている。この種の浄水器に関する構造については、多種のものが提案され、実施されている（例えば特許文献１，２参照）。【０００３】  前記構造の筒型浄水器において、ポンプを具備しない構成のものでは、本体ケース上部の原水貯留室部に供給された原水が、原水の自重により浄化カートリッジを通過する。その際に、活性炭，繊維樹脂あるいはイオン交換樹脂などの吸着剤により原水に含まれる無機物，有機物あるいは金属不純物などが除去され浄化され、浄化された浄水が本体ケース下部の浄水貯留室部へ流出し、貯留されるようになっている。【０００４】  図７は浄水器の従来例の構造を説明するための断面図である。
図７において、１は透明樹脂からなる本体ケースであって、この本体ケース１の内部は上部が原水貯留室部２に、また下部が浄水貯留室部３として区画されている。原水貯留室部２と浄水貯留室部３間の隔壁４には、浄水貯留室部３側に突出すように形成されたコップ形状部５が一体的に設けられている。【０００５】  コップ形状部５には上部開口５ａと側部開口５ｂとが設けられ、コップ形状部５の上部開口５ａに浄化カートリッジ６が着脱可能に装着されている。【０００６】  浄化カートリッジ６は、原水貯留室部２に位置して原水取入口７が形成された上部ケース部８と、隔壁４におけるコップ形状部５の上部開口５ａ周部に係止する鍔部９と、内部に吸着剤Ｔが収納され、かつ下面中央部に浄水出口１０が形成されている吸着剤収納室部１１とから構成されている。【０００７】  前記従来の浄水器は、原水貯留室部２に入れられて貯留する原水Ａは、自重により浄化カートリッジ６における吸着剤収納室部１１の吸着剤Ｔを通り、さらに浄化された浄水Ｂが、自重により吸着剤収納室部１１の浄水出口１０からコップ形状部５の側部開口５ｂを通って浄水貯留室部３へと流出するものである。【０００８】  そして、浄水貯留室部３に貯留された浄水Ｂは、使用者が本体ケース１を傾けることにより、水出口１２から外部のコップなどの任意の器に注ぐことができるようになっている。
【先行技術文献】
【特許文献】
【０００９】
【特許文献１】特開平１１−３１９７９９号公報
【特許文献２】特許第４１５７３７８号公報
【特許文献３】特開２００９−１５４１２８号公報
【発明の概要】
【発明が解決しようとする課題】
【００１０】  このような浄水器は、約１〜２リットル程度の水を浄化処理することができるが、水を送るポンプ類を具備していないため、図７に示すように、浄化カートリッジ６を通過させるための圧力は、上部の原水貯留室部２に貯留されている原水Ａの自重のみである。【００１１】  ところで浄化の際、原水Ａが吸着剤収納室部１１の吸着剤Ｔを通過して浄水出口１０からコップ形状部５へと流出する。そして浄化処理が進み、浄水貯留室部３に浄水が貯まっていくが、コップ形状部５周部に浄水が貯まってくると、図７において側部開口５ｂより上方の空気が、側部開口５ｂから抜けきれず、コップ形状部５内部に残留してしまうことがある。この空気は、コップ形状部５内部において、吸着剤収納室部１１の下側面部から側部開口５ｂの上端部分の間で残留する（図７の空気Ｃ部分）。【００１２】  このようになると、吸着剤収納室部１１の浄水出口１０からコップ形状部５へ流出する浄水Ｂの流出圧力Ｐｂは原水Ａの自重のみであるため、浄化処理が進んで原水Ａの量が少なくなると、コップ形状部５に残留した空気Ｃの圧力Ｐｃの方が浄水Ｂの噴出圧力Ｐｂよりも大きくなり、この圧力が吸着剤収納室部１１の浄水出口１０に加わって、吸着剤収納室部１１からの浄水Ｂの流出が阻止されてしまうことになる。これにより原水Ａが、原水貯留室部２から移動できずに、貯留されたままで浄化処理が止まってしまう。【００１３】  このため、コップ形状部５における吸着剤収納室部１１の浄水出口１０からの浄水流出がなくなった時点で、使用者が、浄化処理が完了したと思って本体ケース１を傾け、水出口１２から浄水貯留室部３の浄水Ｂを外部のコップなどに取り出そうとすると、原水貯留室部２に貯留されたままで残っている未浄化の原水Ａが、浄水Ｂと混合して本体ケース１から漏れ出てしまうという問題がある。【００１４】  このような空気残留による空気圧により浄化カートリッジからの浄水の流出が妨げられることは、浄水器の浄水処理の能率低下、あるいは不用意な原水との混合などの原因となり、浄水器の本来の使用目的からして問題である。【００１５】  本発明は、前記従来技術の問題を解決し、浄化カートリッジ内における残留空気による浄水処理の効率低下を防ぎ、常に良好な浄水が可能な浄水器及び浄化カートリッジを提供することを目的とする。
【課題を解決するための手段】
【００１６】  前記目的を達成するため、本発明に係る浄水器は、原水貯留室部と浄水貯留室部とが上下に分離して形成された本体ケースと、前記原水貯留室部と前記浄水貯留室部とを区画する隔壁と、前記隔壁を通って前記浄水貯留室部に連通して前記本体ケースに開口する水出口と、前記原水貯留室部の前記本体ケースに開口する原水注ぎ口と、前記隔壁の前記浄水貯留室部側に突出して形成され、少なくとも上部と側部あるいは下部とに開口が形成されたコップ形状部と、前記コップ形状部の上部の開口から挿入される浄化カートリッジとを備え、前記原水貯留室部の原水が自重により前記浄化カートリッジ内の吸着剤を通って前記浄水貯留室部へ移動することにより、原水浄化がなされる構造の浄水器において、前記浄化カートリッジの浄水出口に、前記コップ形状部の前記側部あるいは前記下部の開口まで延出するパイプを垂下させたことを特徴とする。【００１７】  また、本発明に係る浄化カートリッジは、原水貯留室部と浄水貯留室部とが上下に分離して形成された本体ケースと、前記原水貯留室部と前記浄水貯留室部とを区画する隔壁と、前記隔壁を通って前記浄水貯留室部に連通して前記本体ケースに開口する水出口と、前記原水貯留室部の前記本体ケースに開口する原水注ぎ口とを具備した浄水器に設けられる浄化カートリッジであって、前記隔壁に装着されて、前記原水貯留室部の原水が自重により内部の吸着剤を通って前記浄水貯留室部へ移動することにより原水浄化をなす浄化カートリッジにおいて、前記隔壁の前記浄水貯留室部側に突出して前記隔壁に装着され、少なくとも上部と側部あるいは下部とに開口が形成されたカートリッジケース本体と、前記吸着剤の下側部に設けられた浄水出口から垂下して、前記カートリッジケース本体の前記側部あるいは前記下部の開口まで延出するパイプとを具備したことを特徴とする。
【発明の効果】
【００１８】  本発明によれば、浄水が流出する浄水出口から、本体ケースにおけるコップ形状部の側部開口あるいは下部開口まで、あるいはカートリッジケース本体の側部開口あるいは下部開口まで、浄水を導くパイプを設けたことにより、カートリッジ内に残留しても、その空気の圧力が浄水出口には加わらず、浄水出口からの浄水は、パイプにより案内されて側部開口あるいは下部開口からカートリッジ外の浄水貯留室部へ流れ出ることになる。このため、従来のように浄水の流れが、残留する空気の圧力により阻止され、原水の浄化効率が低下することがなくなる。【００１９】  このように原水貯留室部から浄水貯留室部へ水の移動がなされることになり、良好にかつ効率的に原水の浄化が行われるため、安定かつ円滑な浄水処理が行われる浄水器を提供することができる。
【図面の簡単な説明】
【００２０】
【図１】本発明に係る浄水器の実施形態１の全体構成を示す断面図である。
【図２】図１の実施形態１の浄水器における浄化カートリッジの拡大正面図である。
【図３】図１の実施形態１の浄水器における浄化処理初期の説明図である。
【図４】図１の実施形態１の浄水器における浄化処理終期の説明図である。
【図５】本発明に係る浄水器の実施形態２の要部を示す断面図である。
【図６】本発明に係る浄化カートリッジの実施形態の正面図である。
【図７】従来の浄水器の全体構成とその問題点を説明するための断面図である。
【発明を実施するための形態】
【００２１】  以下、本発明の好適な実施形態を図面に基づいて説明する。
【００２２】  図１は本発明に係る浄水器の実施形態１の全体構成を示す断面図である。なお、以下の説明において、図７に示した浄水器にて説明した構成部材に対応する部材には同一符号を付して詳しい説明は省略する。
【００２３】  図１において、１は透明樹脂からなる本体ケース、２は本体ケース１の上部に設けられた原水貯留室部、３は本体ケース１の下部に設けられた浄水貯留室部、４は原水貯留室部２と浄水貯留室部３を区画する隔壁、５は浄水貯留室部３側に突出すように隔壁４と一体に形成されたコップ形状部である。コップ形状部５には上部開口５ａと側部開口５ｂとが設けられている。
【００２４】  図２は実施形態１の浄水器における浄化カートリッジを示す正面図であって、吸着剤Ｔを内蔵した浄化カートリッジ６は、コップ形状部５の上部開口５ａに着脱可能に装着されている。また、浄化カートリッジ６は、原水貯留室部２に位置して原水取入口７が形成された上部ケース部８と、隔壁４におけるコップ形状部５の上部開口５ａ周部に係止する鍔部９と、内部に吸着剤Ｔが収納され、かつ下面中央部に浄水出口１０が形成されている吸着剤収納室部１１とからなる。
【００２５】  なお、図１において、１２は、隔壁４の横を通って浄水貯留室部３に連通して、本体ケース１の上部に開口する水出口、１３は、原水貯留室部２の本体ケース１に開口する原水注ぎ口、１４は原水注ぎ口１３を覆う着脱自在な蓋体である。
【００２６】  さらに、実施形態１では、浄化カートリッジ６の浄水出口１０には、下端部がコップ形状部５の側部開口５ｂまで延出するようにパイプ１５の上端部を固定している。
【００２７】  前記構成の実施形態１において、浄化は従来と同様に行われ、図３に示すように、原水貯留室部２に充填されて貯留する原水Ａが、自重により浄化カートリッジ６における吸着剤収納室部１１の吸着剤Ｔを通り、さらに浄化された浄水Ｂが、自重により吸着剤収納室部１１の浄水出口１０からパイプ１５を通ってコップ形状部５の側部開口５ｂまで流出し、さらに側部開口５ｂを通って浄水貯留室部３へと流出する。
【００２８】  ここで実施形態１では、前記パイプ１５を設けたことにより、図４に示すように、コップ形状部５内部において空気Ｃが残留したとしても、浄水出口１０は空気圧Ｐｃの影響を受けない。このため浄水Ｂは、自重でパイプ１５に案内されて吸着剤収納室部１１の浄水出口１０からコップ形状部５の側部開口５ｂ部分へと円滑に移動することができて、該側部開口５ｂからコップ形状部５外部へと流れ出ることになる。
【００２９】  図５は本発明に係る浄水器の実施形態２の要部を示す断面図であり、実施形態２は実施形態１と基本構成は同じである。
【００３０】  実施形態２が実施形態１と異なる構成は、コップ形状部５には上部開口５ａと下部開口５ｃが設けられ、かつ、浄化カートリッジ６の浄水出口１０に、下端部がコップ形状部５の下部開口５ｃまで延出するようにパイプ１５の上端部を固定している点である。
【００３１】  実施形態２において、実施形態１と同様に、コップ形状部５内部に空気Ｃが残留したとしても、浄水出口１０は空気圧Ｐｃの影響を受けない。このため浄水Ｂは、自重でパイプ１５に案内されて吸着剤収納室部１１の浄水出口１０からコップ形状部５の下部開口５ｃへと円滑に流出することができ、該下部開口５ｃからコップ形状部５外部へと流れ出ることになる。
【００３２】  他の実施形態２における部材は、前記実施形態１にて説明した部材と同一部材には同一符号を付して説明を省略する。
【００３３】  このように、実施形態１，２では、原水貯留室部２から浄水貯留室部３へ水の移動が円滑になされることになり、迅速かつ効率的に原水の良好な浄化が行われるため、常に安定かつ円滑な浄水処理が行われる。
【００３４】  なお、実施形態１，２では、コップ形状部５を浄水貯留室部３側に突出すように隔壁４と一体に形成しているが、このコップ形状部５を隔壁４に形成せずに、隔壁４に浄水カートリッジ６を装着する開口のみを形成する浄水器の構造も考えられる。
【００３５】  図６に示す例の場合、実施形態１，２における浄水カートリッジ６下周部のコップ形状部５と同様な機能を持たせるために、鍔部９の下側部からコップ形状をなすカートリッジケース本体２０を一体的に延出してユニット体とする。
【００３６】  また、カートリッジケース本体２０には、原水取入口７と連通して原水が吸着剤収納室部１１へ流出するように上部部分の開口を形成すると共に、吸着剤収納室部１１から流出する浄水がカートリッジケース本体２０へ流出できるように側部開口２０ａ（あるいは下部開口）を形成する。
【００３７】  さらに、図６に示す例の場合、側部開口２０ａ（あるいは下部開口）の設置構造に対応して、実施形態１，２と同様にパイプ１５を設ける。
【産業上の利用可能性】
【００３８】  本発明は、ポンプなどの水の移動駆動手段を具備せず、水の自重にて原水貯留部から浄水貯留部へ水が流出する構成の家庭用の浄水器、及びその浄水器に装備される浄化カートリッジに実施して有効である。
【符号の説明】
【００３９】１  本体ケース
２  原水貯留室部
３  浄水貯留室部
４  隔壁
５  コップ形状部
５ｂ  側部開口
５ｃ  下部開口
６  浄化カートリッジ
１０  浄水出口
１１  吸着剤収納室部
１２  水出口
１３  原水注ぎ口
１５  パイプ
２０  カートリッジケース本体
２０ａ  側部開口
Ａ  原水
Ｂ  浄水
Ｃ  空気
Ｔ  吸着剤
【図１】
2012200724.tif 000003
【図２】
2012200724.tif 000004
【図３】
2012200724.tif 000005
【図４】
2012200724.tif 000006
【図５】
2012200724.tif 000007
【図６】
2012200724.tif 000008
【図７】
2012200724.tif 000009